(57)【要約】【課題】乾いた状態で保管でき、かつ使用時の保温性が良好な身体清拭シートを提供すること。【解決手段】身体清拭シート１は、２つの表面層と、２つの表面層の間に配置され、吸水性ポリマーを含有する吸水性ポリマー層とを備え、２つの表面層の一方又は両方と吸水性ポリマー層とが複数の小区画２０を構成するよう部分的に固定され、吸水性ポリマーの移動が各区画２０内で規制されている。【選択図】図１
2018000344.tif 000002
【特許請求の範囲】
【請求項１】
２つの表面層と、２つの表面層の間に配置され、吸水性ポリマーを含有する吸水性ポリマー層とを備え、前記２つの表面層の一方又は両方と前記吸水性ポリマー層とが、複数の小区画を構成するよう結合部にて結合され、吸水性ポリマーの移動が各区画内で規制されていることを特徴とする身体清拭シート。
【請求項２】
水を含ませて使用される乾式シートである請求項１に記載の身体清拭シート。
【請求項３】
前記結合部が、溶着、接着剤による接着、又は糸による縫い合わせである請求項１又は２に記載の身体清拭シート。
【請求項４】
前記小区画の一つの面積が２〜６ｃｍ2である請求項１〜３のいずれかに記載の身体清拭シート。
【請求項５】
前記小区画の形状が略三角形、略矩形、又は互い違いに配置された同一形状である請求項１〜４のいずれかに記載の身体清拭シート。
【請求項６】
前記吸水性ポリマー層が、身体清拭シートの幅方向の中心位置を長手方向に沿って略直線状に延びる凹部により２つの部分に分離されている、請求項１〜５のいずれかに記載の身体清拭シート。
【請求項７】
前記身体清拭シートは略矩形であり、前記身体清拭シートの幅方向の中心を通って前記身体清拭シートの長手方向に延びる線における前記身体清拭シートの長手方向の中心位置から等距離の位置から、前記身体清拭シートの長辺までの間を、前記身体清拭シートの長手方向に沿って互いに離れるように延びる仮想線に沿って延びる２つのガイド線をさらに備える請求項１〜６のいずれかに記載の身体清拭シート。
【請求項８】
前記２つの表面層のうちの一方の角部に取り付けられ、該２つの表面層のうちの一つとの間に前記身体清拭シートを収容するためのポケットを画成する小片をさらに備える請求項１〜７のいずれかに記載の身体清拭シート。
【発明の詳細な説明】
【技術分野】
【０００１】
本発明は、身体清拭シートに関し、特には乾式の身体清拭シートに関する。
【背景技術】
【０００２】
保湿性を有する身体用の清拭シートが知られており、例えば特許文献１，２には、吸水性ポリマー及び水性洗浄剤を含む湿式の身体用清拭シートが開示されている。また、特許文献３には布タオルの間に吸水樹脂を挟んだ蒸しタオルが開示されている。
【先行技術文献】
【特許文献】
【０００３】
【特許文献１】特開 ２００４−３１３５５７
【特許文献２】特開 ２００３−２５０７１４
【特許文献３】特開平９−２５２９９４
【発明の概要】
【発明が解決しようとする課題】
【０００４】
しかしながら、特許文献１，２の清拭シートは湿式のシートであるため、使用前に乾いた状態で保管できない。また、特許文献１，２の清拭シートには、アレルギー体質の人や皮膚疾患を有する人に適用する場合、身体に接触することが好ましくない場合もある。また、特許文献１，２の清拭シートでは吸水性ポリマーが膨張した場合に、吸水性ポリマーが表面層と吸水性ポリマーを含む内層との間の空間内を移動するという問題がある。
【０００５】
特許文献３の蒸しタオルの場合、繰り返し用いると雑菌の繁殖の恐れがあるが、衛生的に用いるには布タオルを吸水樹脂から外して洗濯する必要があり、使用者にとって煩雑である。
【０００６】
本発明の目的は、使用前に乾いた状態で保管でき、かつ使用時の保温性が良好な不織布タイプの身体清拭シートを提供することにある。
【０００７】
本発明の別の目的は、使い捨て可能で、かつ使用時の保温性が良好な不織布タイプの身体清拭シートを提供することにある。
【０００８】
本発明のさらに別の目的は、身体清拭シート内での吸水性ポリマーの移動が抑制された身体清拭シートを提供することにある。
【課題を解決するための手段】
【０００９】
本発明者らは、上記の目的を達成すべく、２つの表面層の一方又は両方と吸水性ポリマー層とに、複数の小区画を構成するよう特殊加工を施した身体清拭シートを用いることにより、上記の課題を解決できることを見出し、本発明を完成するに至った。
【００１０】
本発明の一態様によれば、２つの表面層と、２つの表面層の間に配置され、吸水性ポリマーを含有する吸水性ポリマー層とを備え、前記２つの表面層の一方又は両方と前記吸水性ポリマー層とが、複数の小区画を構成するよう結合部にて結合され、吸水性ポリマーの移動が各区画内で規制されていることを特徴とする身体清拭シートが提供される。
【発明の効果】
【００１１】
本発明によれば、使用前には身体清拭シートを乾いた状態で保管でき、かつ使用時には良好な保温性を発揮する。また、使用後には身体清拭シートを使い捨てることができ、衛生的である。さらには、吸水性ポリマーの移動が規制されるため、保温が均等に保たれ、身体清拭シートの物理的な耐久性も向上する。
【図面の簡単な説明】
【００１２】
【図１】本発明の第１実施形態の身体清拭シートの平面図。
【図２】図１のII−II線における断面図。
【図３】図１のIII線で囲まれた部分の部分拡大模式図。
【図４】図１の小区画の形状の別例の平面図。
【図５】図１の小区画の形状の別例の平面図。
【図６】図１の小区画の形状の別例の平面図。
【図７】図２の別例の断面図。
【図８】本発明の第２実施形態の身体清拭シートの平面図。
【図９】図８のＩＸ−ＩＸ線における断面図。
【図１０】本発明の第３実施形態の身体清拭シートの平面図。
【図１１】図１０の身体清拭シートの使用状態の略図。
【図１２】本発明の第４実施形態の身体清拭シートの平面図。
【図１３】図１２の身体清拭シートが折り畳まれた状態を示す平面図。
【図１４】身体清拭シートの保湿試験の結果を示すグラフ。
【発明を実施するための形態】
【００１３】
以下、本発明を身体清拭シートに具体化した第１〜第４実施形態について図１〜８を参照しながら説明する。
【００１４】
図１及び図２に示すように、本発明の第１実施形態の身体清拭シート１は、不織布から構成された２つの表面層２，３と、２つの表面層２，３の間に配置され、吸水性ポリマーを含有する１つ又は複数の吸水性ポリマー層４とが積層された略矩形の積層シートである。  表面層２及び表面層３のいずれの面でも、身体の清拭を行うことができる。
【００１５】
また、図２に示すように、吸水性ポリマー層４の端部が２つの表面層２，３により封止されている。具体的には、吸水性ポリマー層４の幅が２つの表面層２，３の幅よりも短く、また吸水性ポリマー層４の長さが２つの表面層２，３の長さよりも短くなっており、吸水性ポリマー層４が２つの表面層２，３により囲繞され、吸水性ポリマー層４の周端部が２つの表面層２，３により封止されている。封止は、例えば表面層２，３の２層の超音波融着並びに熱融着等の溶着、接着剤による接着、糸による縫い合わせ、エンボス加工による接合、溶断機による溶断、溶接機による溶接等により行うことができる。吸水性ポリマー層４を２つの表面層２，３により封止することで、吸水性ポリマー層４の身体清拭シート１からの脱落が防止される。また、吸水性ポリマー層４を２つの表面層２，３により画成される空間内に閉じ込めて、吸水性ポリマーが身体清拭シート１の外に漏出するのを防止することができる。
【００１６】
図１及び２に示されるように、本実施形態の身体清拭シート１では、２つの表面層２，３と吸水性ポリマー層４との３層が、複数の小区画２０を構成する小区画２０を仕切る略直線状の結合部２１にて結合されている。このため、吸水性ポリマー層４の吸水性ポリマーが各区画２０内に閉じ込められ、吸水性ポリマー層４の吸水性ポリマーの移動が各区画２０内で規制される。このため、吸水性ポリマー層４の吸水性ポリマーの、２つの表面層２，３と吸水性ポリマー層４との間の空間内での移動によるズレや偏在が防止される。
【００１７】
また、２つの表面層２，３と吸水性ポリマー層４との３層が結合部２１にて結合されているため、表面層２，３と吸水性ポリマー層４との互いの位置のズレも防止される。このため、清拭時に表面層２，３と吸水性ポリマー層４がほぼ一体化した感覚で使用者は身体清拭シート１を使用することができる。
【００１８】
図１に示される身体清拭シート１の面積中の結合部２１が存在する面積の占める割合は、特に限定されないが、１０〜９０％であることが好ましく、５０％〜９０％であることがより好ましい。
【００１９】
結合部２１を構成する部材は、２つの表面層２，３と吸水性ポリマー層４とを結合するものであれば特に限定されないが、例えば超音波融着並びに熱融着等の溶着、接着剤による接着、糸による縫い合わせ等が挙げられる。好ましくは、結合部２１は溶着により構成される。２つの表面層２，３と吸水性ポリマー層４を糸で結合することで、身体清拭シート１はキルティング又は凹凸のあるタオルのような風合い又は外観を有することができる。
【００２０】
小区画２０の一つの面積は特に限定されないが、例えば１〜９ｃｍ2、好ましくは２〜６ｃｍ2である。このような面積とすることで、身体清拭シート１の表面のキルティング又は凹凸のあるタオルのような風合いを残しつつ、吸水性ポリマー層４中の吸水性ポリマーを身体清拭シート１中により均等に分散させることができる。また、使用者の指先が小区画２０に触れた状態で身体清拭シート１を使用したときに、２つの表面層２，３と吸水性ポリマー層４との間のズレが知覚され難いという効果を有する。
【００２１】
小区画２０の形状は特に限定されないが、本実施形態では略三角形である。図３に示すように、身体清拭シート１を繰り返し使用すると、略三角形の中央の清拭面を中心に、各小区画２０の略三角形の３つの角へと吸収性ポリマー２３が均等に分散され易い。また、小区画２０とその隣の小区画２０は食い違いに配置されることで、吸収性ポリマー２３が線状に凝集することが防止又は低減される。
【００２２】
なお、図３で示した略三角形の形状の代わりに、別例として小区画２０の形状を、図４に示すような菱形を初めとする略矩形としたり、図５に示した互い違いに配置された略矩形のような互い違いに配置された同一形状としたり、図６に示す略円形としたり、楕円形、花や動物の形状を模した形等としてもよい。
【００２３】
本実施形態の身体清拭シート１は、水を含ませて使用される乾式シートである。このため、衛生的に長期間保管することができる。また、乾式で軽量であるため、多数量の運搬及び輸送にも適している。
【００２４】
身体清拭シート１は、使用時に水を含ませることで、水に濡らした身体清拭シート１を身体の清拭に使用することができる。
【００２５】
また、吸水性ポリマー層４の吸水性ポリマーが水を保持するため、身体清拭シート１を、身体清拭シート１を適用した身体部位の冷却又は加温に使用することができる。冷却用の身体清拭シート１は、例えば乾燥した身体清拭シート１を氷水、冷却水、又は水道水等に浸したり、水で濡らした身体清拭シート１を冷蔵庫又は冷蔵庫に保存することにより準備でき、加温用の身体清拭シート１は、例えば乾燥した身体清拭シート１を温水に浸したり、水又は湯で濡らした身体清拭シート１を電子レンジで加熱したり、保温庫又は清拭車に入れることにより準備することができる。
【００２６】
さらには、身体清拭シート１に水を含ませることで、吸水性ポリマー層４の吸水性ポリマーが膨張するため身体清拭シート１の厚みが増大すると共にクッション性も増大するため、不織布のみから構成したシートと比較して、清拭されている人は身体をしっかりと「拭かれている」感覚を得ることができる。
【００２７】
また、本実施形態の身体清拭シート１の表面層２，３と吸水性ポリマー層４に適量の水を保持させると、肌への水残りがなく清拭を行うことができ、清拭されている人が感じる局所的な寒さ又は冷感を回避又は低減することができる。
【００２８】
また、本実施形態の身体清拭シート１は、使い捨ての物品である。このため、衛生的に使用することができる。特に、身体清拭シート１を温めるときは雑菌が繁殖しやすいが、使い捨てであるため、毎回交換することができて衛生的である。
【００２９】
さらに、本実施形態の身体清拭シート１は、水性洗浄剤を含有しない。水性洗浄剤は水を媒体とし洗浄成分を含有するものであり、界面活性剤が挙げられる。このため、身体に直接接触するときの水性洗浄剤の影響が排除される。水性洗浄剤については特開２００３−２５０７１４及び特開 ２００４−３１３５５７にも記載されている。
【００３０】
次に、身体清拭シート１を構成する各層について詳しく説明する。
【００３１】
表面層２，３は不織布から構成されており、不織布を構成する繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維等の合成繊維並びにこれらを親水化処理したもの等が挙げられる。繊維材料は１種又は２ 種以上を用いることができる。好ましくは、表面層２，３には熱融着に適した繊維材料が使用される。
【００３２】
表面層２，３を構成する繊維シートは、例えば湿式抄造法や、スパンレース法及びエアレイド法等の不織布製造法により製造することができる。表面層２，３を構成する繊維シートの坪量は、身体清拭シート１全体の坪量にもよるが、それぞれ例えば２０〜１００ｇ／ｍ２ であり、３０〜７０ｇ／ｍ２ であることが好ましい。
【００３３】
表面層２及び表面層３はそれぞれ一枚に限定されず、例えば１つの身体清拭シート１中に複数の表面層２、複数の表面層３、又はこれらの組み合わせを積層させて使用してもよい。複数の表面層２を使用する場合、異種繊維から形成された２層以上の表面層２を重ね合わせてもよいし、同種の繊維から形成された２層以上の表面層２を重ね合わせてもよい。また、複数の表面層２を重ね合わせる部分は、表面層２の全体に限られず、一部の区画のみであってもよい。複数の表面層３の場合も複数の表面層２を使用する場合と同様である。
【００３４】
吸水性ポリマー層４は、吸水性ポリマー及び繊維材料の少なくとも一方から構成される。  吸水性ポリマー層４は、繊維材料中に吸水性ポリマーを含有させたシート、繊維材料の上に吸水性ポリマーを分散して固めたシート、又は繊維状に加工された吸水性ポリマーを含むシートであり得る。
【００３５】
吸水性ポリマー層４に使用される吸水性ポリマーとしては、液体を吸収及び保持できる任意の吸水性ポリマーを使用することができ、具体例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。
【００３６】
吸水性ポリマー層４に使用される繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維等の合成繊維並びにこれらを親水化処理したもの等が挙げられる。繊維材料は１種又は２ 種以上を用いることができる。
【００３７】
吸水性ポリマー層４を構成する繊維シートは、例えば湿式抄造法や、スパンレース法及びエアレイド法等の不織布製造法により製造することができる。吸水性ポリマー層４を構成する繊維シートの坪量は、身体清拭シート１全体の坪量にもよるが、それぞれ例えば２０〜１００ｇ／ｍ２ であり、３０〜７０ｇ／ｍ２ であることが好ましい。
【００３８】
吸水性ポリマー層４の数は一枚に限定されない。例えば１つの身体清拭シート１中に複数の吸水性ポリマー層４を積層させて使用してもよい。複数の吸水性ポリマー層４を使用する場合、異種繊維から形成された２層以上の表面層２を重ね合わせてもよいし、同種の繊維をから形成された２層以上の吸水性ポリマー層４を重ね合わせてもよい。また、複数の吸水性ポリマー層４を重ね合わせる部分は、吸水性ポリマー層４の全体に限られず、一部の区画のみであってもよい。
【００３９】
好ましくは、吸水性ポリマー層４中の吸水性ポリマーの量は、吸水性ポリマーが膨潤するのに十分な時間水に浸した身体清拭シート１を６０℃に加熱した後、２０〜２５℃、湿度４０〜８０％の環境下で１０分保存した後の身体清拭シート１の温度を３０℃以上に保持し得る量である。より好ましくは、吸水性ポリマー層４中の吸水性ポリマーの量は、吸水性ポリマーが膨潤するのに十分な時間水に浸した身体清拭シート１を６０℃に加熱した後、２０〜２５℃、湿度４０〜８０％の環境下で２０分保存した後の身体清拭シート１の温度を２５℃以上に保持し得る量である。
【００４０】
図７に示すように、身体清拭シート１は、表面層２、表面層３、及び吸水性ポリマー層４に加えて、１または２層以上の追加の層５を備えていてもよい。例えば追加の層５は、表面層３と吸水性ポリマー層４の間に積層された、表面層２と表面層３、並びに表面層３と吸水性ポリマー層４の接着を支援するための熱融着層であってもよい。かかる熱融着層は、例えば熱融着性繊維から構成される。熱融着性繊維としては、例えばポリエチレンやポリプロピレン等のポリオレフイン系樹脂、ポリエチレンテレフタレート等のポリエステル系樹脂、ポリアクリル酸やポリメタクリル酸等のアクリル系樹脂、ポリ塩化ビニル等のビニル系樹脂、ポリアミド系樹脂等、並びにこれらの組み合わせが用いられる。
【００４１】
身体清拭シート１は、香料、保湿剤、抗菌剤、抗炎症剤、虫除け剤、及び清涼パウダーから選択される１つ又は２つ以上の成分をさらに含有してもよい。これらの成分は表面層２、表面層３、吸水性ポリマー層４及びその他の層のいずれに含有されてもよい。
【００４２】
香料は、天然香料でも合成香料でもよく、特に限定されないが、香木、精油、樹脂、ムスク、シベット、カストリウム、アンバーグリス、メントール、レモン、グレープフルーツ、ライム、オレンジ、ベルガモット、バラ、ジャスミン、スズラン、ライラック、バニリン、ヘリオトロピン、クマリン；ベンゾイン、乳香、没薬等が挙げられる。
【００４３】
抗菌剤としては、特に限定されないが、メチルパラベン等が挙げられる。
【００４４】
保湿剤は、軟膏、クリーム、ローション等のいずれの剤形の保湿剤であってもよく、特に限定されないが、軟膏としては、例えば白色ワセリン、亜鉛華軟膏、セラミド、アズノール軟膏、ザーネ軟膏、クリームとしては、例えばウレパール、ケラチナミン、パスタロン（ソフト）、ワイドコール、ヒルドイドクリーム、ローションとしては、例えばヒルドイドローションが挙げられる。
【００４５】
抗炎症剤としては、特に限定されないが、プレドニゾロン、リン酸ベタメタゾンナトリウム、リン酸デキサメタゾンナトリウム等のステロイド系抗炎症薬、並びにアスピリン、メフェナム酸、イブプロフェン、ナプロキセン、チアプロフェン、インドメタシン、ジクロフェナクナトリウム、ロキソプロフェンナトリウム、スリンダク、ピロキシカム等の非ステロイド系抗炎症薬が挙げられる。
【００４６】
虫除け剤としては、特に限定されないが、Ｎ，Ｎ−ジエチル−３−メチルベンズアミド（ＤＥＥＴ）、ｐ−メンタン−３，８−ジオール、ユーカリオイルを初めとするアロマオイル等が挙げられる。
【００４７】
清涼パウダーは、特に限定されないが、水と反応して吸熱反応を起こす冷却物質を含む粉体であり、冷却物質としては糖類、アミノ酸、尿素、無機塩などが挙げられ、粉末としてはタルク、カオリン、雲母、炭酸金属塩、ケイ酸金属塩、クレイ、雲母チタン、オキシ塩化ビスマス、シリカビーズ、プラスチックビーズ、プラスチックパウダー、コーンスターチを初めとする食用粉末等が挙げられる。
【００４８】
ここまで、本発明を第１実施形態を例にとって説明してきたが、本発明はこれに限られず、以下のような種々の変形が可能である。以下の第２〜４実施形態において、同じ符号は第１実施形態におけるのと同じ部材を示し、説明は省略する。
【００４９】
図８及び９に示すように、本発明の第２実施形態の身体清拭シート１は、身体清拭シート１の幅方向の中心位置を長手方向に沿って略直線状に延びる凹部６を備え、凹部６により吸収性ポリマー層４が２つの部分４ａに分離されている。かかる凹部６を備えることで、矢印の方向に折り返すと、身体清拭シート１を容易に二つに折り畳むことができ、拭いた面を閉じて身体清拭シート１を衛生的に処分することができる。
【００５０】
なお、本実施形態では、表面層２及び表面層３の２層が接合した部分が、凹部６の底面を区画形成し、表面層２、表面層３、及び吸収性ポリマー層４の３層の部分よりも厚みが小さくなることで凹部６が画成されているが、凹部６の位置で凹部６の身体清拭シート１の幅方向における両側の部分よりも相対的に厚みが小さくなっていれば、身体清拭シート１の各層の図示された構成に限定されない。
【００５１】
図１０は本発明の第３実施形態の身体清拭シート１である。図１０において、小区画２０は下記に説明するガイド線７ａ〜７ｄの部分を除く吸水性ポリマー層４の２つの部分４ａに設けられているが、図面を明瞭にするため小区画２０は身体清拭シート１の左上に一部のみを示す。図１０に示すように、本発明の第３実施形態の身体清拭シート１は、第２実施形態で示した凹部６に加えて、それぞれ一対のガイド線７ａ並びにガイド線７ｂ、及びガイド線７ｃ並びにガイド線７ｄを備えている。ガイド線７ａ並びにガイド線７ｂは、身体清拭シート１の幅方向の中心を通って身体清拭シート１の長手方向に延びる線Ｘにおける身体清拭シート１の長手方向の中心位置Ｃから等距離の位置から、身体清拭シート１の長辺１ａまでの間を、身体清拭シート１の長手方向に沿って互いに離れるように延びる仮想線Ｙ1，Ｙ2に沿ってそれぞれ延びている。ガイド線７ｃ並びにガイド線７ｄは、身体清拭シート１の幅方向の中心を通って身体清拭シート１の長手方向に延びる線Ｘにおける身体清拭シート１の長手方向の中心位置Ｃから等距離の位置から、身体清拭シート１の長辺１ｂまでの間を、前記身体清拭シートの長手方向に沿って互いに離れるように延びる仮想線Ｙ3，Ｙ4に沿ってそれぞれ延びている。仮想線Ｙ1，Ｙ2及び仮想線Ｙ3，Ｙ4は、エンボス加工等により施された凹部、互いに離間して設けられた複数の孔、糸による縫い目、マーカー、テープ等であってよい。仮想線Ｙ1，Ｙ2及び仮想線Ｙ3，Ｙ4は身体清拭シート１の片面又は両面に設けられてもよく、好ましくは両面に設けられる。好ましくは仮想線Ｙ1，Ｙ2及び仮想線Ｙ3，Ｙ4は身体清拭シート１の厚み方向を貫通して設けられた糸による縫い目である。なお「仮想線に沿って」とは、仮想線上である場合と、仮想線と平行な場合とを含む。
【００５２】
この構成によれば、図１０において、（１）の矢印のように身体清拭シート１を線Ｘの位置で二つに折り畳み、（２）の矢印のように折り重なった一端部を内方に折り返し、（３）の矢印のように折り重なった他方の端部を内方に折り返すことにより、図１１に示すように、ミトンの形状に身体清拭シート１が折りたたまれる。ミトンの空間８に親指以外の４指を入れ、ミトンの長手方向の端部の折れ重なった部分を親指をミトンの外側から押さえることにより、使用者、つまり身体清拭シート１の着用者は手の操作を細かい反映しつつ清拭することができる。
【００５３】
図１２に示すように、本発明の第３実施形態の身体清拭シート１では、表面層２又は表面層３の角部に、小片１０が取り付けられている。小片１０を構成する材料は限定されず、例えば表面層３と同じ材料であってもよいし、異なる材料であってもよい。小片１０の形状は限定されないが、例えば三角形であり、その二辺１１，１２が角部を形成する表面層３の二辺と接着されている。接着としては、超音波融着並びに熱融着等の溶着、接着剤による接着、糸による縫い合わせ、エンボス加工による接合、溶断機による溶断、溶接機による溶接等により行うことができる。小片１０は、表面層３との間に身体清拭シート１を収容するためのポケット１３を画成する。
【００５４】
このため、図１２で矢印に示すように、身体清拭シート１をポケット１３に向かって折り返し、図１３に示すように身体清拭シート１をポケット１３に収容することができる。このため、コンパクトに畳んで拭くことができ、また、使用後の身体清拭シート１をコンパクトに折り畳んで処分することができる。
【００５５】
以下に実施例を挙げて本発明をより具体的に説明するが、本発明はこれらに限定されない。
【実施例】
【００５６】
試験例１  身体清拭シートの製造
（ １ ）表面層の製造
レーヨン繊維８０％ 、及びポリエチレンテレフタレート／ポリエチレンの芯鞘型複合繊維２０％からなる坪量４０ｇ／ｍ2 のスパンレース不織布を製造し、これを２枚の表面層として用いた。表面層の大きさは、長さ３００ｍｍ×幅２００〜４００ｍｍ とした。
（ ２ ） 吸水性ポリマー層の製造
吸水性ポリマー含有シートを吸水性ポリマー層として用いた。このシートはエアレイド法によって製造されたものであり、シートに含まれる吸水性ポリマーは架橋されたポリアクリル酸ナトリウム塩であり、実施例１のシートではその坪量を２３０ｇ ／ｍ2とした。このシートの繊維組成は、木材パルプからなる天然セルロース繊維であった。
（ ３ ）身体清拭シートの製造
２枚の表面層間には、さらに別途ポリプロピレン／ポリエチレン芯鞘型繊維１００％を配置し、熱融着で４層を接合し、清拭シートを製造した。
【００５７】
実施例２の身体清拭シートは、吸水性ポリマー層の吸水性ポリマーの坪量を１３８ｇ
／ｍ2として製造した。
【００５８】
実施例３の身体清拭シートは、吸水性ポリマー層の吸水性ポリマーの坪量を５０ｇ ／ｍ2として製造した。
【００５９】
実施例４の身体清拭シートは、吸水性ポリマー層の吸水性ポリマーを繊維状態に加工した上で、吸水性ポリマーの坪量を６８ｇ ／ｍ2として製造した。
【００６０】
比較例１には布タオルを用いた。
【００６１】
比較例２には市販の不織布からなる表面層のみのシートを用いた。
【００６２】
試験例２  保温性試験
試験例１で製造した実施例１〜４及び比較例１，２の身体清拭シートを約１０ｃｍ ×約３０ｃｍ に折りたたみ、吸水性ポリマーが膨潤するのに十分な時間、水を含水させ、電子レンジを用いて加熱した。次いで放射温度計（タスコ製ＴＡ−４１０ＮＨ）を用いて、折りたたんだ状態の清拭シート表面の中央部温度が６０℃まで下がるのを待った後、２分毎に２０分間、清拭シート表面の中央部温度を測定した。
【００６３】
結果を表１及び図１４に示す。
【００６４】
【表１】
2018000344.tif 000003
【００６５】
以上、本発明の実施形態及び実施例について具体的に説明したが、本発明は、上述の実施形態に限定されるものではなく、本発明の技術的思想に基づく各種の変形が可能である。
【００６６】
上述の実施形態及び実施例において挙げた構成、方法、工程、形状、材料及び数値などはあくまでも例に過ぎず、必要に応じてこれと異なる構成、方法、工程、形状、材料及び数値などを用いてもよい。例えば以下の通りである。
・第１〜４実施形態において、表面層２、表面層３、及び吸水性ポリマー層４の３層が固定されて小区画２０を構成するのに変えて、表面層２及び表面層３のうちの一方と吸水性ポリマー層４の２層が固定されて小区画２０を構成してもよい。
・第１〜４実施形態において、表面層２、表面層３、及び吸水性ポリマー層４の数は一枚に限定されない。例えば１つの身体清拭シート１中に複数の表面層２、複数の表面層３、複数の吸水性ポリマー層４、又はこれらの組み合わせを積層させて使用してもよい。
・第１〜４実施形態において、吸水性ポリマー層４の長さが２つの表面層２，３の長さよりも短く、吸水性ポリマー層４が２つの表面層２，３により囲繞されていなくても、吸水性ポリマー層４中の吸水性ポリマーが身体清拭シート１の外に漏出するのを防止する程度に、吸水性ポリマー層４の周端部が表面層２、表面層３と一体化されていればよい。一体化は、表面層２，３及び吸水性ポリマー層４の３層の超音波融着並びに熱融着等の溶着、接着剤による接着、糸による縫い合わせ、エンボス加工による接合、溶断機による溶断、溶接機による溶接等により行うことができる。
・第３実施形態において、仮想線Ｙ3，Ｙ4を省略し、仮想線Ｙ1，Ｙ2のみとしてもよい。
【００６７】
また、上述の実施形態の構成、方法、工程、形状、材料及び数値などは、本発明の主旨を逸脱しない限り、互いに組み合わせることが可能である。
【００６８】
また、本発明は以下の構成を採用することもできる。
［１］２つの表面層と、２つの表面層の間に配置され、吸水性ポリマーを含有する吸水性ポリマー層とを備え、前記２つの表面層の一方又は両方と前記吸水性ポリマー層とが、複数の小区画を構成するよう結合部にて結合され、吸水性ポリマーの移動が各区画内で規制されていることを特徴とする身体清拭シート。
［２］水を含ませて使用される乾式シートである［１］に記載の身体清拭シート。
［３］前記結合部が、溶着、接着剤による接着、又は糸による縫い合わせである［１］又は［２］に記載の身体清拭シート。
［４］前記小区画の一つの面積が２〜６ｃｍ2である［１］〜［３］のいずれかに記載の身体清拭シート。
［５］前記小区画の形状が略三角形、略矩形、又は互い違いに配置された同一形状である［１］〜［４］のいずれかに記載の身体清拭シート。
［６］前記吸水性ポリマー層が、身体清拭シートの幅方向の中心位置を長手方向に沿って略直線状に延びる凹部により２つの部分に分離されている、［１］〜［５］のいずれかに記載の身体清拭シート。
［７］前記身体清拭シートは略矩形であり、前記身体清拭シートの幅方向の中心を通って前記身体清拭シートの長手方向に延びる線における前記身体清拭シートの長手方向の中心位置から等距離の位置から、前記身体清拭シートの長辺までの間を、前記身体清拭シートの長手方向に沿って互いに離れるように延びる仮想線に沿って延びる２つのガイド線をさらに備える［１］〜［６］のいずれかに記載の身体清拭シート。
［８］前記２つの表面層のうちの一方の角部に取り付けられ、該２つの表面層のうちの一つとの間に前記身体清拭シートを収容するためのポケットを画成する小片をさらに備える［１］〜［７］のいずれかに記載の身体清拭シート。
【産業上の利用可能性】
【００６９】
本発明の身体清拭シートは、家庭、病院等の医療施設、老人福祉施設、介護施設、総合商業施設、スポーツ施設等の様々な場所で、清拭を必要とする人に他者が清拭をしたり、清拭を必要とする人が自ら清拭をするために使用することができる。
【符号の説明】
【００７０】
１・・・身体清拭シート、１ａ，１ｂ…身体清拭シートの長辺、２，３…表面層、４…吸水性ポリマー層、４ａ…吸水性ポリマー層の２つの部分、６…凹部、７ａ，７ｂ，７ｃ，７ｄ…ガイド線、１０…小片、１３…ポケット、Ｘ…身体清拭シートの幅方向の中心を通って身体清拭シートの長手方向に延びる線、Ｙ1，Ｙ2，Ｙ3，Ｙ4…仮想線、Ｃ…身体清拭シートの幅方向の中心を通って身体清拭シートの長手方向に延びる線における身体清拭シートの長手方向の中心位置。
【図１】
2018000344.tif 000004
【図２】
2018000344.tif 000005
【図３】
2018000344.tif 000006
【図４】
2018000344.tif 000007
【図５】
2018000344.tif 000008
【図６】
2018000344.tif 000009
【図７】
2018000344.tif 000010
【図８】
2018000344.tif 000011
【図９】
2018000344.tif 000012
【図１０】
2018000344.tif 000013
【図１１】
2018000344.tif 000014
【図１２】
2018000344.tif 000015
【図１３】
2018000344.tif 000016
【図１４】
2018000344.tif 000017